(57)【要約】【課題】端末装置とユーザとの間における、より自然で分かりやすいインタラクティブな情報交信を可能とする手段を提供する。【解決手段】周辺デバイス１２はスマートフォン１１のヘッドセット用端子に接続可能なピンジャックを備えている。周辺デバイス１２がスマートフォン１１に接続されると、周辺デバイス１２に記憶されているデバイスＩＤがアナログ信号に変調された後、スマートフォン１１に対し出力される。スマートフォン１１は周辺デバイス１２から出力されるアナログ信号を復調しデバイスＩＤを取得し、そのデバイスＩＤに対応するアプリに従った処理を実行する。スマートフォン１１はアプリに従い、例えばモーターの運転コマンドなどの各種コマンドをアナログ信号に変調した後、周辺デバイス１２に対し出力する。周辺デバイス１２はスマートフォン１１から受け取ったアナログ信号を復調しコマンドを取得し、そのコマンドに従った処理を行う。【選択図】図１
2013115526.tif 000002
【特許請求の範囲】
【請求項１】
デジタル信号から変調により生成されたアナログ信号の入力を受けるアナログ信号入力手段と、
前記アナログ信号入力手段に対し入力されたアナログ信号をデジタル信号に復調する復調手段と、
複数のアプリケーションプログラムを記憶する記憶手段と
を備え、
前記アナログ信号入力手段は、１のアプリケーションプログラムを識別する識別データを示すアナログ信号の入力を受け、
前記記憶手段に記憶されている前記複数のアプリケーションプログラムのうち、前記復調手段による復調により生成されたデジタル信号により示される前記識別データにより識別される前記１のアプリケーションに従った処理を行うデータ処理手段
を備える
端末装置。
【請求項２】
デジタル信号から変調により生成されたアナログ信号の入力を受けるアナログ信号入力手段と、
前記アナログ信号入力手段に対し入力されたアナログ信号をデジタル信号に復調する復調手段と
を備え、
前記アナログ信号入力手段は、１のアプリケーションプログラムを示すアナログ信号の入力を受け、
前記復調手段による復調により生成されたデジタル信号により示される前記１のアプリケーションプログラムを記憶する記憶手段と、
前記記憶手段に記憶されている前記１のアプリケーションプログラムに従ったデータ処理を行うデータ処理手段と
を備える
端末装置。
【請求項３】
デジタル信号から変調により生成されたアナログ信号の入力を受けるアナログ信号入力手段と、
前記アナログ信号入力手段に対し入力されたアナログ信号をデジタル信号に復調する復調手段と、
ネットワークを介してサーバ装置にデータを送信する送信手段と、
ネットワークを介して前記サーバ装置からデータを受信する受信手段と
を備え、
前記アナログ信号入力手段は、１のアプリケーションプログラムを識別する識別データを示すアナログ信号の入力を受け、
前記送信手段は、前記復調手段による復調により生成されたデジタル信号により示される前記識別データにより識別される前記１のアプリケーションプログラムの送信を要求する要求データを前記サーバ装置に送信し、
前記受信手段は、前記送信手段により送信された前記要求データに対する応答として前記サーバ装置から送信されてくる前記１のアプリケーションプログラムを受信し、
前記受信手段により受信された前記１のアプリケーションプログラムを記憶する記憶手段と、
前記記憶手段に記憶されている前記１のアプリケーションプログラムに従ったデータ処理を行うデータ処理手段と
を備える
端末装置。
【請求項４】
前記データ処理手段による前記アプリケーションプログラムに従ったデータ処理により生成されたデジタル信号をアナログ信号に変調する変調手段と、
前記変調手段による変調により生成されたアナログ信号を出力するアナログ信号出力手段と
を備える請求項１乃至３のいずれかに記載の端末装置。
【請求項５】
電力を供給する電源と、
前記電源から供給される電力を前記アナログ信号入力手段に対し入力される前記アナログ信号の入力元の装置に対し出力する電力出力手段と
を備える請求項１乃至４のいずれかに記載の端末装置。
【請求項６】
前記データ処理手段は、前記アプリケーションプログラムに従ったデータ処理において、前記復調手段による復調により生成されたデジタル信号を用いる
請求項１乃至５のいずれかに記載の端末装置。
【請求項７】
コンピュータを、
請求項１または２に記載の端末装置が備える前記アナログ信号入力手段、前記復調手段、前記記憶手段および前記データ処理手段として機能させるプログラム。
【請求項８】
コンピュータを、
請求項３に記載の端末装置が備える前記アナログ信号入力手段、前記復調手段、前記送信手段、前記受信手段、前記記憶手段および前記データ処理手段として機能させるプログラム。
【請求項９】
前記コンピュータを、
請求項４に記載の端末装置が備える前記変調手段および前記アナログ信号出力手段として機能させる
請求項７または８に記載のプログラム。
【請求項１０】
電力を供給する電源を備える前記コンピュータを、
請求項５に記載の前記電力出力手段として機能させる
請求項７乃至９のいずれかに記載のプログラム。
【請求項１１】
前記データ処理手段として機能する前記コンピュータに、前記アプリケーションプログラムに従ったデータ処理において、前記復調手段として機能する前記コンピュータによる復調により生成されたデジタル信号を用いる処理を実行させる
請求項７乃至１０のいずれかに記載のプログラム。
【請求項１２】
１のアプリケーションプログラムを識別するデジタル信号である識別データを記憶する記憶手段と、
前記記憶手段に記憶されている前記識別データをアナログ信号に変調する変調手段と、
前記変調手段による変調により生成されたアナログ信号を出力するアナログ信号出力手段と
を備える周辺デバイス。
【請求項１３】
１のアプリケーションプログラムをデジタル信号として記憶する記憶手段と、
前記記憶手段に記憶されている前記１のアプリケーションプログラムをアナログ信号に変調する変調手段と、
前記変調手段による変調により生成されたアナログ信号を出力するアナログ信号出力手段と
を備える周辺デバイス。
【請求項１４】
デジタル信号から変調により生成されたアナログ信号の入力を受けるアナログ信号入力手段と、
前記アナログ信号入力手段に対し入力されたアナログ信号をデジタル信号に復調する復調手段と、
前記復調手段による復調により生成されたデジタル信号に従い所定の処理を行う処理手段と
を備える請求項１２または１３に記載の周辺デバイス。
【請求項１５】
前記処理手段は、前記復調手段による復調により生成されたデジタル信号に従い発光を行う発光手段を有する
請求項１４に記載の周辺デバイス。
【請求項１６】
前記処理手段は、前記復調手段による復調により生成されたデジタル信号に従い運転するモーターを有する
請求項１４または１５に記載の周辺デバイス。
【請求項１７】
前記処理手段は、前記復調手段による復調により生成されたデジタル信号に従い発音を行う発音手段を有する
請求項１４乃至１６のいずれかに記載の周辺デバイス。
【請求項１８】
外界の所定の物理的特性値を計測し、当該計測の結果を示す計測データをデジタル信号として生成する計測手段を備え、
前記変調手段は、前記計測手段により生成された前記計測データをアナログ信号に変調し、
前記アナログ信号出力手段は、前記変調手段による変調により生成された前記計測の結果を示すアナログ信号を出力する
請求項１２乃至１７のいずれかに記載の周辺デバイス。
【請求項１９】
前記アナログ信号出力手段により出力されるアナログ信号の出力先の装置から電力の入力を受け取る電力入力手段
を備える請求項１２乃至１８のいずれかに記載の周辺デバイス。
【請求項２０】
前記電力入力手段により受け取られた電力を蓄電する蓄電手段
を備える請求項１９に記載の周辺デバイス。
【請求項２１】
請求項１または３に記載の端末装置と、
請求項１２に記載の周辺デバイスと
を備え、
前記周辺デバイスの前記アナログ信号出力手段は、前記端末装置の前記アナログ信号入力手段に対しアナログ信号を出力する
システム。
【請求項２２】
請求項２に記載の端末装置と、
請求項１３に記載の周辺デバイスと
を備え、
前記周辺デバイスの前記アナログ信号出力手段は、前記端末装置の前記アナログ信号入力手段に対しアナログ信号を出力する
システム。
【請求項２３】
請求項４に記載の端末装置と、
請求項１４に記載の周辺デバイスと
を備え、
前記周辺デバイスの前記アナログ信号出力手段は、前記端末装置の前記アナログ信号入力手段に対しアナログ信号を出力し、
前記端末装置の前記アナログ信号出力手段は、前記周辺デバイスの前記アナログ信号入力手段に対しアナログ信号を出力する
システム。
【請求項２４】
請求項６に記載の端末装置と、
請求項１９に記載の周辺デバイスと
を備え、
前記周辺デバイスの前記アナログ信号出力手段は、前記端末装置の前記アナログ信号入力手段に対しアナログ信号を出力し、
前記端末装置の前記アナログ信号出力手段は、前記周辺デバイスの前記アナログ信号入力手段に対しアナログ信号を出力し、
前記端末装置の前記電力出力手段は、前記周辺デバイスの前記電力入力手段に対し電力を出力する
システム。
【発明の詳細な説明】
【技術分野】
【０００１】
本発明は、スマートフォンなどの端末装置に接続されて動作する周辺デバイスに関する。
【背景技術】
【０００２】
携帯電話に接続され、携帯電話の動作に連動してユーザに対し光や音で通知を行う周辺デバイスとして、例えば特許文献１には、ヘッドセットを携帯電話に接続した状態で携帯電話が通話の着信をした際に、ＬＥＤの発光や電子音・ブザー音の発音を行うことで、ユーザに着信を通知する、という機能を備えたヘッドセットが提案されている。
【先行技術文献】
【特許文献】
【０００３】
【特許文献１】特開平１０−３２７２２３号公報
【発明の概要】
【発明が解決しようとする課題】
【０００４】
近年、携帯電話機能を備えたＰＤＡ（Personal Digital Assistant）であるスマートフォンが普及しつつある。
【０００５】
スマートフォンを含むＰＤＡは携帯可能なようにノート型ＰＣなどと比較し格段に小型化されている。また、スマートフォンの多くは、小型化のためにノート型ＰＣなどが備える機械的なキーボートやマウスといった入力デバイスに代えて、タッチパネルがディスプレイに一体に構成されているタッチディスプレイを備えている。
【０００６】
タッチディスプレイによれば、ユーザは表示されているオブジェクトに指などで擬似的に触れて様々な動作を行うことで、そのオブジェクトを画面内で移動したり拡大・縮小したりすることができる。
【０００７】
このように、タッチディスプレイを備える端末装置によれば、ユーザと装置とのインタラクティブな情報交信がより自然な操作で可能となる。
【０００８】
しかしながら、タッチパネルディスプレイを備えた端末装置においてもなお、アプリケーションの起動などの操作、すなわちディスプレイに表示されているアイコンをタッチするといった操作は不自然な操作であり、ユーザーフレンドリーではない。
【０００９】
以上の事情に鑑み、本発明は、スマートフォンに代表される端末装置とユーザとの間における、より自然で分かりやすいインタラクティブな情報交信を可能とする手段を提供することを目的とする。
【課題を解決するための手段】
【００１０】
上記の課題を解決するため、本発明は、
デジタル信号から変調により生成されたアナログ信号の入力を受けるアナログ信号入力手段と、
前記アナログ信号入力手段に対し入力されたアナログ信号をデジタル信号に復調する復調手段と、
複数のアプリケーションプログラムを記憶する記憶手段と
を備え、
前記アナログ信号入力手段は、１のアプリケーションプログラムを識別する識別データを示すアナログ信号の入力を受け、
前記記憶手段に記憶されている前記複数のアプリケーションプログラムのうち、前記復調手段による復調により生成されたデジタル信号により示される前記識別データにより識別される前記１のアプリケーションに従った処理を行うデータ処理手段
を備える
端末装置
を第１の実施態様として提案する。
【００１１】
また本発明は、
デジタル信号から変調により生成されたアナログ信号の入力を受けるアナログ信号入力手段と、
前記アナログ信号入力手段に対し入力されたアナログ信号をデジタル信号に復調する復調手段と
を備え、
前記アナログ信号入力手段は、１のアプリケーションプログラムを示すアナログ信号の入力を受け、
前記復調手段による復調により生成されたデジタル信号により示される前記１のアプリケーションプログラムを記憶する記憶手段と、
前記記憶手段に記憶されている前記１のアプリケーションプログラムに従ったデータ処理を行うデータ処理手段と
を備える
端末装置
を第２の実施態様として提案する。
【００１２】
また本発明は、
デジタル信号から変調により生成されたアナログ信号の入力を受けるアナログ信号入力手段と、
前記アナログ信号入力手段に対し入力されたアナログ信号をデジタル信号に復調する復調手段と、
ネットワークを介してサーバ装置にデータを送信する送信手段と、
ネットワークを介して前記サーバ装置からデータを受信する受信手段と
を備え、
前記アナログ信号入力手段は、１のアプリケーションプログラムを識別する識別データを示すアナログ信号の入力を受け、
前記送信手段は、前記復調手段による復調により生成されたデジタル信号により示される前記識別データにより識別される前記１のアプリケーションプログラムの送信を要求する要求データを前記サーバ装置に送信し、
前記受信手段は、前記送信手段により送信された前記要求データに対する応答として前記サーバ装置から送信されてくる前記１のアプリケーションプログラムを受信し、
前記受信手段により受信された前記１のアプリケーションプログラムを記憶する記憶手段と、
前記記憶手段に記憶されている前記１のアプリケーションプログラムに従ったデータ処理を行うデータ処理手段と
を備える
端末装置
を第３の実施態様として提案する。
【００１３】
また本発明は、上記の第１乃至第３のいずれかの実施態様にかかる端末装置において、
前記データ処理手段による前記アプリケーションプログラムに従ったデータ処理により生成されたデジタル信号をアナログ信号に変調する変調手段と、
前記変調手段による変調により生成されたアナログ信号を出力するアナログ信号出力手段と
を備える
という構成を第４の実施態様として提案する。
【００１４】
また本発明は、上記の第１乃至第４のいずれかの実施態様にかかる端末装置において、
電力を供給する電源と、
前記電源から供給される電力を前記アナログ信号入力手段に対し入力される前記アナログ信号の入力元の装置に対し出力する電力出力手段と
を備える
という構成を第５の実施態様として提案する。
【００１５】
また本発明は、上記の第１乃至第５のいずれかの実施態様にかかる端末装置において、
前記データ処理手段は、前記アプリケーションプログラムに従ったデータ処理において、前記復調手段による復調により生成されたデジタル信号を用いる
という構成を第６の実施態様として提案する。
【００１６】
また本発明は、
コンピュータを、
上記の第１または第２の実施態様にかかる端末装置が備える前記アナログ信号入力手段、前記復調手段、前記記憶手段および前記データ処理手段として機能させるプログラム
を第７の実施態様として提案する。
【００１７】
また本発明は、
コンピュータを、
上記の第３の実施態様にかかる端末装置が備える前記アナログ信号入力手段、前記復調手段、前記送信手段、前記受信手段、前記記憶手段および前記データ処理手段として機能させるプログラム
を第８の実施態様として提案する。
【００１８】
また本発明は、上記の第７または第８の実施態様にかかるプログラムにおいて、
前記コンピュータを、
請求項４に記載の端末装置が備える前記変調手段および前記アナログ信号出力手段として機能させる
という構成を第９の実施態様として提案する。
【００１９】
また本発明は、上記の第７乃至第９のいずれかの実施態様にかかるプログラムにおいて、
電力を供給する電源を備える前記コンピュータを、
上記の第５の実施態様にかかる端末装置が備える前記電力出力手段として機能させる
という構成を第１０の実施態様として提案する。
【００２０】
また本発明は、上記の第７乃至第１０のいずれかの実施態様にかかるプログラムにおいて、
前記データ処理手段として機能する前記コンピュータに、前記アプリケーションプログラムに従ったデータ処理において、前記復調手段として機能する前記コンピュータによる復調により生成されたデジタル信号を用いる処理を実行させる
という構成を第１１の実施態様として提案する。
【００２１】
また本発明は、
１のアプリケーションプログラムを識別するデジタル信号である識別データを記憶する記憶手段と、
前記記憶手段に記憶されている前記識別データをアナログ信号に変調する変調手段と、
前記変調手段による変調により生成されたアナログ信号を出力するアナログ信号出力手段と
を備える周辺デバイス
を第１２の実施態様として提案する。
【００２２】
また本発明は、
１のアプリケーションプログラムをデジタル信号として記憶する記憶手段と、
前記記憶手段に記憶されている前記１のアプリケーションプログラムをアナログ信号に変調する変調手段と、
前記変調手段による変調により生成されたアナログ信号を出力するアナログ信号出力手段と
を備える周辺デバイス
を第１３の実施態様として提案する。
【００２３】
また本発明は、上記の第１２または第１３の実施態様にかかる周辺デバイスにおいて、
デジタル信号から変調により生成されたアナログ信号の入力を受けるアナログ信号入力手段と、
前記アナログ信号入力手段に対し入力されたアナログ信号をデジタル信号に復調する復調手段と、
前記復調手段による復調により生成されたデジタル信号に従い所定の処理を行う処理手段と
を備える
という構成を第１４の実施態様として提案する。
【００２４】
また本発明は、上記の第１４の実施態様にかかる周辺デバイスにおいて、
前記処理手段は、前記復調手段による復調により生成されたデジタル信号に従い発光を行う発光手段を有する
という構成を第１５の実施態様として提案する。
【００２５】
また本発明は、上記の第１４または第１５の実施態様にかかる周辺デバイスにおいて、
前記処理手段は、前記復調手段による復調により生成されたデジタル信号に従い運転するモーターを有する
という構成を第１６の実施態様として提案する。
【００２６】
また本発明は、上記の第１４乃至第１６のいずれかの実施態様にかかる周辺デバイスにおいて、
前記処理手段は、前記復調手段による復調により生成されたデジタル信号に従い発音を行う発音手段を有する
という構成を第１７の実施態様として提案する。
【００２７】
また本発明は、上記の第１２乃至第１７のいずれかの実施態様にかかる周辺デバイスにおいて、
外界の所定の物理的特性値を計測し、当該計測の結果を示す計測データをデジタル信号として生成する計測手段を備え、
前記変調手段は、前記計測手段により生成された前記計測データをアナログ信号に変調し、
前記アナログ信号出力手段は、前記変調手段による変調により生成された前記計測の結果を示すアナログ信号を出力する
という構成を第１８の実施態様として提案する。
【００２８】
また本発明は、上記の第１２乃至第１８のいずれかの実施態様にかかる周辺デバイスにおいて、
前記アナログ信号出力手段により出力されるアナログ信号の出力先の装置から電力の入力を受け取る電力入力手段
を備える
という構成を第１９の実施態様として提案する。
【００２９】
また本発明は、上記の第１９の実施態様にかかる周辺デバイスにおいて、
前記電力入力手段により受け取られた電力を蓄電する蓄電手段
を備える
という構成を第２０の実施態様として提案する。
【００３０】
また本発明は、
上記の第１または第３の実施態様にかかる端末装置と、
上記の第１２の実施態様にかかる周辺デバイスと
を備え、
前記周辺デバイスの前記アナログ信号出力手段は、前記端末装置の前記アナログ信号入力手段に対しアナログ信号を出力する
システム
を第２１の実施態様として提案する。
【００３１】
また本発明は、
上記の第２の実施態様にかかる端末装置と、
上記の第１３の実施態様にかかる周辺デバイスと
を備え、
前記周辺デバイスの前記アナログ信号出力手段は、前記端末装置の前記アナログ信号入力手段に対しアナログ信号を出力する
システム
を第２２の実施態様として提案する。
【００３２】
また本発明は、
上記の第４の実施態様にかかる端末装置と、
上記の第１４の実施態様にかかる周辺デバイスと
を備え、
前記周辺デバイスの前記アナログ信号出力手段は、前記端末装置の前記アナログ信号入力手段に対しアナログ信号を出力し、
前記端末装置の前記アナログ信号出力手段は、前記周辺デバイスの前記アナログ信号入力手段に対しアナログ信号を出力する
システム
を第２３の実施態様として提案する。
【００３３】
また本発明は、
上記の第６の実施態様にかかる端末装置と、
上記の第１９の実施態様にかかる周辺デバイスと
を備え、
前記周辺デバイスの前記アナログ信号出力手段は、前記端末装置の前記アナログ信号入力手段に対しアナログ信号を出力し、
前記端末装置の前記アナログ信号出力手段は、前記周辺デバイスの前記アナログ信号入力手段に対しアナログ信号を出力し、
前記端末装置の前記電力出力手段は、前記周辺デバイスの前記電力入力手段に対し電力を出力する
システム
を第２４の実施態様として提案する。
【発明の効果】
【００３４】
本発明の第１乃至第３のいずれかの実施態様にかかる端末装置、本発明の第１２または第１３の実施態様にかかる端末装置、本発明の第２１または第２２の実施態様にかかるシステムによれば、端末装置の例えばヘッドセット用端子に周辺デバイスを接続する、という操作により、接続された周辺デバイスに応じたアプリケーションプログラムに従った処理が端末装置において実行される。そのため、ユーザは、端末装置が備えるハードウェアキーボードやソフトウェアキーボードなどを操作する場合と比較し、より直感的で自然な操作により、端末装置に対し特定のアプリケーションプログラムに従った処理を指示することができる。
【００３５】
本発明の第４の実施態様にかかる端末装置、第１４の実施態様にかかる周辺デバイス、第２３の実施態様にかかるシステムによれば、端末装置に周辺デバイスを接続する、という操作により、接続された周辺デバイスに応じたアプリケーションプログラムに従った処理に伴い、周辺デバイスに対し端末装置からデータの出力が行われる。従って、端末装置において行われた処理の結果を示すデータを周辺デバイスに記憶させておき、次回の接続時にそのデータを利用するなどの様々な応用が可能となる。
【００３６】
本発明の第５の実施態様にかかる端末装置によれば、接続された周辺デバイスから取得したデータを用いてアプリケーションプログラムに従った処理を行うため、例えば同じアプリケーションプログラムに従った処理であっても、接続された周辺デバイス毎に異なる処理を端末装置に行わせることができる。
【００３７】
本発明の第１５の実施態様にかかる周辺デバイスによれば、端末装置に接続された周辺デバイスにより、端末装置において実行されるアプリケーションプログラムに従った処理に連動して発光が行われるため、アプリケーションプログラムの表現力が高まる。
【００３８】
本発明の第１６の実施態様にかかる周辺デバイスによれば、端末装置に接続された周辺デバイスにより、端末装置において実行されるアプリケーションプログラムに従った処理に連動してモーターの運転が行われるため、例えば猫のシッポの模型をモーターで回転させることにより、端末装置のディスプレイに表示されている猫の体から生えているように見えるシッポの模型がディスプレイに表示されている猫の体の動きに連動して動く、といったような、より高い表現力のアプリケーションプログラムが実現される。
【００３９】
本発明の第１７の実施態様にかかる周辺デバイスによれば、端末装置に接続された周辺デバイスにより、端末装置において実行されるアプリケーションプログラムに従った処理に連動して発音が行われるため、アプリケーションプログラムの表現力が高まる。
【００４０】
本発明の第１８の実施態様にかかる周辺デバイスによれば、周辺デバイスが備える計測手段により計測された計測データが端末装置に出力されるため、端末装置が備えていない計測手段により計測される計測データを用いた処理を端末装置に実行させることができる。
【００４１】
本発明の第６の実施態様にかかる端末装置、第１９の実施態様にかかる周辺デバイス、第２４の実施態様にかかるシステムによれば、端末装置から周辺デバイスに対し電力供給が行われるため、周辺デバイスが外部電源から電力供給を受ける必要がなく、周辺デバイスの小型化、軽量化、低コスト化が可能となる。
【００４２】
本発明の第２０の実施態様にかかる周辺デバイスによれば、周辺デバイスが蓄電手段を備え、端末装置から供給を受けた電力を蓄電することで、供給される電力量と使用する電力量との不均衡を解消することができる。従って、周辺デバイスを安定的に動作させることができると同時に、端末装置から供給される電力量のフロー値よりも大きなフロー値の電力量を必要とするモーターなどを周辺デバイスにおいて運転させることも可能となる。
【００４３】
本発明の第７乃至第１１のいずれかの実施態様にかかるプログラムによれば、スマートフォンなどの汎用的な端末装置を用いて、本発明にかかる端末装置を実現することができる。
【図面の簡単な説明】
【００４４】
【図１】図１は、本発明の一実施形態にかかる周辺デバイス連動システムの全体構成を示した図である。
【図２】図２は、本発明の一実施形態にかかる周辺デバイスが備えるピンジャックの外観図である。
【図３】図３は、本発明の一実施形態にかかるスマートフォンおよび周辺デバイスの機能構成を示した図である。
【図４】図４は、本発明の第１実施例にかかる周辺デバイスおよびそれに対応するアプリに従って動作しているスマートフォンのイメージを示した図である。
【図５】図５は、本発明の第２実施例にかかる周辺デバイスおよびそれに対応するアプリに従って動作しているスマートフォンのイメージを示した図である。
【図６】図６は、本発明の第３実施例にかかる周辺デバイスおよびそれに対応するアプリに従って動作しているスマートフォンのイメージを示した図である。
【発明を実施するための形態】
【００４５】
［実施形態］
以下に本発明の一実施形態にかかる周辺デバイス連動システム１の構成および動作を説明する。周辺デバイス連動システム１は、スマートフォンのヘッドセット用端子に周辺デバイスを接続することで、接続された周辺デバイスに応じたアプリケーションプログラムに従った処理がスマートフォンにおいて実行される、という仕組みを提供するシステムである。
【００４６】
また、周辺デバイスが発光部、発音部、モーターといった構成部を内蔵している場合には、スマートフォンの処理に連動して、それらの構成部による発光、発音、物理的な動きなどが行われる。
【００４７】
さらに、周辺デバイスが湿度センサ、ガイガーセンサ、加速度センサ、イメージセンサなどのセンサを内蔵している場合には、それらのセンサにより計測されたデータがスマートフォンに出力され、スマートフォンにおいてアプリケーションプログラムに従った処理において利用される。
【００４８】
図１は、周辺デバイス連動システム１の全体構成を示した図である。周辺デバイス連動システム１は、スマートフォン１１と、スマートフォン１１のヘッドセット用端子に接続される周辺デバイス１２と、スマートフォン１１に対しインターネット１９を介してアプリケーションプログラムの送信を行うサーバ装置１３を備えている。
【００４９】
スマートフォン１１は、ヘッドセット用端子とタッチディスプレイを備えた一般的なスマートフォンであり、そのハードウェア構成の説明は省略する。
【００５０】
周辺デバイス１２は、周辺デバイス１２における各種データ処理を行うＩＣ（Integrated Circuit）と、ＩＣの基本的な処理に用いられるデータを書き換え不可能に記憶するＲＯＭ（Read Only Memory）と、主としてスマートフォン１１におけるアプリケーションプログラムに従った処理に応じてスマートフォン１１との間で送受信されるデータを書き換え可能に記憶するＲＡＭ（Random Access Memory）と、ＩＣから引き渡されるデジタル信号をアナログ信号に変調する変調回路と、デジタル信号から変調されたアナログ信号をデジタル信号に復調する復調回路と、蓄電を行うキャパシタを備えている。
【００５１】
また、周辺デバイス１２は、一般的なスマートフォン用のヘッドセットに採用されている４極のピンジャックを備えている。図２は、周辺デバイス１２が備えるピンジャックの外観図である。図２に示すように、４極のピンジャックの４つの端子には、一般的に、ピン先から順に左チャンネル音声信号の入力端子、右チャンネル音声信号の入力端子、グラウンド、マイク音声信号の出力端子がアサインされている。また、マイク音声信号の出力端子とグラウンドとの間には、スマートフォン１１のヘッドセット用端子に接続された際、無負荷状態で約＋２．７Ｖの電圧がかかるようになっている。
【００５２】
周辺デバイス１２のピンジャックの４つの端子のうち、左チャンネル音声信号の入力端子には復調回路が、マイク音声信号の出力端子には変調回路とキャパシタが、各々接続されている。なお、周辺デバイス１２のピンジャックの右チャンネル音声信号の入力端子は使用されない。
【００５３】
周辺デバイス１２のピンジャックがスマートフォン１１のヘッドセット用端子に接続された状態において、変調回路で生成されるアナログ信号がマイク音声信号の出力端子を介してスマートフォン１１に対し出力され、スマートフォン１１から出力されたアナログ信号が左チャンネル音声信号の入力端子を介して復調回路に入力される。また、マイク音声信号の出力端子を介して供給される電力がキャパシタに蓄電され、周辺デバイス１２の各構成部に供給される。
【００５４】
周辺デバイス１２のＲＯＭには、周辺デバイス１２を識別するデバイスＩＤ（Identifier）が記憶されている。このデバイスＩＤは、この周辺デバイス１２がスマートフォン１１に接続された際にスマートフォン１１において実行されるべきアプリケーションプログラム（以下、「アプリ」と呼ぶ）を識別するアプリＩＤの役割も果たす。
【００５５】
周辺デバイス１２には多くの種類のものがあり、上記はそれらの周辺デバイス１２に概ね共通して採用されている構成部である。周辺デバイス１２のあるものは、上記の構成部に加え、ＬＥＤ等の発光素子、モーター、スピーカなどを備える。これらの構成部はＩＣから出力される信号に従い、各々、発光、モーターの運転、発音などの所定の処理を行う。
【００５６】
また、周辺デバイス１２のあるものは、イメージセンサ、ガイガーセンサ、湿度センサ、加速度センサなどの各種センサを備える。これらのセンサは外界の物理的な特性を示す値を計測し、その計測結果を示す計測データをデジタル信号としてＩＣに対し出力する。ＩＣは受け取った計測データをＲＡＭに記憶し、その後の処理に用いる。
【００５７】
図３は、スマートフォン１１および周辺デバイス１２の機能構成を示した図である。
【００５８】
周辺デバイス１２は、ＩＣがＲＯＭに記憶されているプログラムに従った処理を実行することにより、図３に示される各種の機能構成部を備える装置として機能する。すなわち、周辺デバイス１２は、主としてＲＯＭおよびＲＡＭで構成される記憶部１２０１、主として変調回路で構成される変調部１２０２、主としてピンジャックのマイク音声信号の出力端子で構成される信号出力部１２０３、主としてピンジャックの左チャンネル音声信号の入力端子で構成される信号入力部１２０４、主として復調回路で構成される復調部１２０５、主としてＩＣで構成される制御部１２０６、主としてピンジャックのマイク音声信号の出力端子で構成される電力入力部１２０７、主としてキャパシタで構成される蓄電部１２０８を備えた装置として機能する。
【００５９】
また、周辺デバイス１２のあるものは、主として発光素子で構成される発光部１２０９、モーター１２１０、主としてスピーカで構成される発音部１２１１、主として各種のセンサで構成される計測部１２１２を備えた装置として機能する。
【００６０】
スマートフォン１１は、既述のように、接続された周辺デバイス１２に応じて各種のアプリを実行する。それを可能とするために、スマートフォン１１には予め基本的な処理の実行を指示するアプリケーションプログラム（以下、「基本アプリ」と呼ぶ）がインストールされている。スマートフォン１１はこの基本アプリに従った処理を実行することにより、図３に示される各種の機能構成部を備える装置として機能する。
【００６１】
すなわち、スマートフォン１１は、周辺デバイス１２から出力されるデジタル信号の変調により生成されたアナログ信号の入力を受け付ける信号入力部１１０１、信号入力部１１０１に入力されたアナログ信号をデジタル信号に復調する復調部１１０２、各種データを記憶する記憶部１１０３、記憶部１１０３に記憶されているアプリケーションプログラムに従い各種データ処理を行うことでいわゆるアプリの実行を行うデータ処理部１１０４、データ処理部１１０４によるアプリの実行に伴い生成されたデジタル信号もしくは記憶部１１０３に記憶されているデジタル信号をアナログ信号に変調する変調部１１０５、変調部１１０５により生成されるアナログ信号を周辺デバイス１２に対し出力する信号出力部１１０６を備える装置として機能する。
【００６２】
さらに、スマートフォン１１は、スマートフォン１１の他の構成部に対し電力を供給する蓄電池である電源１１０７、電源１１０７から供給される電力を周辺デバイス１２に対し出力する電力出力部１１０８、サーバ装置１３に対しデータを送信する送信部１１０９サーバ装置１３から送信されてくるデータを受信する受信部１１１０、主としてタッチディスプレイのディスプレイ部分で構成され各種画像をユーザに対し表示する表示部１１１１、主としてタッチディスプレイのタッチパネル部分で構成されユーザのスマートフォン１１に対する各種操作を受け付ける操作部１１１２、主としてスピーカで構成されユーザに対する発音を行う発音部１１１３、スマートフォン１１の他の構成部の動作を制御する制御部１１１４を備える装置として機能する。
【００６３】
スマートフォン１１が接続された周辺デバイス１２に応じたアプリを取得する方法としては主として以下の３つがある。
（１）ユーザがスマートフォン１１を操作してサーバ装置１３により提供されるアプリ配信サイトにアクセスし、サーバ装置１３からスマートフォン１１に対しアプリをダウンロードする。
（２）スマートフォン１１に周辺デバイス１２が接続された際、スマートフォン１１が自動的にサーバ装置１３にアクセスし、サーバ装置１３からアプリをダウンロードする。
（３）スマートフォン１１に周辺デバイス１２が接続された際、スマートフォン１１が自動的に周辺デバイス１２からアプリを取得する。
【００６４】
上記（１）の方法に対応している周辺デバイス１２（以下、「タイプ１の周辺デバイス１２」と呼ぶ）を入手したユーザは、例えば周辺デバイス１２のパッケージ等に記載されているＵＲＬ（Uniform Resource Locator）をスマートフォン１１のブラウザに入力し所定の操作を行うことで、サーバ装置１３に対しアプリの送信要求を行い、その要求に応じてサーバ装置１３から送信されてくるアプリをスマートフォン１１にダウンロードする。スマートフォン１１にダウンロードされたアプリは、例えば自動的にスマートフォン１１にインストールされ、実行可能となる。
【００６５】
上記（２）の方法に対応している周辺デバイス１２（以下、「タイプ２の周辺デバイス１２」と呼ぶ）のＲＯＭには、デバイスＩＤに加え、アプリの配信元のＵＲＬが記憶されている。タイプ２の周辺デバイス１２を入手したユーザは、周辺デバイス１２をスマートフォン１１に接続する。スマートフォン１１は基本アプリに従いその接続を検出し、周辺デバイス１２からのアナログ信号の入力を待機する。一方、スマートフォン１１に接続された周辺デバイス１２もまたその接続を検出し、ＲＯＭに記憶されている自機のデバイスＩＤとアプリの配信元のＵＲＬをアナログ信号としてスマートフォン１１に対し出力する。
【００６６】
周辺デバイス１２からデバイスＩＤと共にＵＲＬを受け取ったスマートフォン１１は、基本アプリに従い、そのデバイスＩＤに対応するアプリが既に記憶部１１０３にインストールされているか否かを判定し、まだインストールされていないと判定した場合、そのＵＲＬに従いサーバ装置１３に対しアプリの送信要求を行い、その要求に応じてサーバ装置１３から送信されてくるアプリをダウンロードする。スマートフォン１１にダウンロードされたアプリは、例えば自動的にスマートフォン１１にインストールされ、実行可能となる。
【００６７】
上記（３）の方法に対応している周辺デバイス１２（以下、「タイプ３の周辺デバイス１２」と呼ぶ）のＲＯＭには、デバイスＩＤに加え、アプリ本体が記憶されている。タイプ３の周辺デバイス１２を入手したユーザは、周辺デバイス１２をスマートフォン１１に接続する。スマートフォン１１は基本アプリに従いその接続を検出し、周辺デバイス１２からのアナログ信号の入力を待機する。一方、スマートフォン１１に接続された周辺デバイス１２もまたその接続を検出し、ＲＯＭに記憶されている自機のデバイスＩＤとアプリ本体が周辺デバイス１２に記憶されていることを示す通知データをアナログ信号としてスマートフォン１１に対し出力する。
【００６８】
周辺デバイス１２からデバイスＩＤと共に通知データを受け取ったスマートフォン１１は、基本アプリに従い、そのデバイスＩＤに対応するアプリが既に記憶部１１０３にインストールされているか否かを判定し、まだインストールされていないと判定した場合、通知データに従い、周辺デバイス１２に対しアプリの出力要求を行い、その要求に応じて周辺デバイス１２から出力されてくるアプリを取得する。スマートフォン１１に取得されたアプリは、例えば自動的にスマートフォン１１にインストールされ、実行可能となる。
【００６９】
上記のタイプ１〜タイプ３のいずれの周辺デバイス１２に関しても、既に対応するアプリが既にインストールされている状態でスマートフォン１１に接続されると、スマートフォン１１は基本アプリに従いその接続を検出し、周辺デバイス１２からのアナログ信号の入力を待機する。一方、スマートフォン１１に接続された周辺デバイス１２もまたその接続を検出し、ＲＯＭに記憶されている自機のデバイスＩＤをアナログ信号としてスマートフォン１１に対し出力する。その際、タイプ２の周辺デバイス１２はＵＲＬを、タイプ３の周辺デバイス１２は通知データをデバイスＩＤとともに出力するが、既に対応するアプリがスマートフォン１１にインストールされている場合、それらのデータに応じて再度のアプリの取得は行われない。
【００７０】
続いて、スマートフォン１１は記憶部１１０３にインストールされ実行可能となっている複数のアプリの中から、周辺デバイス１２から受け取ったデバイスＩＤに応じたアプリを特定し、そのアプリが起動されていなければそのアプリを起動する。そして、そのアプリに従った各種処理を実行する。
【００７１】
このように、周辺デバイス連動システム１によれば、スマートフォン１１に周辺デバイス１２を接続する、という直感的な操作によって、周辺デバイス１２に対応したアプリが自動的に実行される。
【００７２】
周辺デバイス１２の接続に応じて実行されるアプリの種類には特に制限はない。例えば、ゲームアプリや壁紙のようなユーティリティアプリ、音楽や動画を再生するプレーヤーアプリ、周辺デバイス１２に内蔵されるガイガーセンサによる測定結果を示すアプリなど、様々なものが考えられる。
【００７３】
それらのアプリのあるものに従って、スマートフォン１１はアプリに従った処理において生成されたデータを周辺デバイス１２に保存コマンドとともに出力する場合がある。例えば、ゲームアプリにおいて、ゲーム終了時にその時点のゲームの状況を示すセーブデータがスマートフォン１１から周辺デバイス１２に出力される場合などである。そのような場合、周辺デバイス１２はスマートフォン１１から受け取ったデータを保存コマンドに従い記憶部１２０１に記憶する。
【００７４】
そのようなアプリに対応する周辺デバイス１２が再度、スマートフォン１１に接続された場合、スマートフォン１１はアプリに従い、前回、周辺デバイス１２に記憶されたデータの送信コマンドを周辺デバイス１２に対し出力する。その送信コマンドに従い、周辺デバイス１２は記憶したデータをスマートフォン１１に出力する。その結果、スマートフォン１１においては、セーブデータなどの前回のアプリの実行時に生成されたデータを利用して、アプリに従った処理を実行することができる。
【００７５】
また、発光部１２０９を備える周辺デバイス１２に対応するアプリに従って、スマートフォン１１は周辺デバイス１２に対し発光のＯＮ／ＯＦＦを指示する発光コマンドを出力する場合がある。例えば、メッセージ交換アプリにおいてメッセージが届いた場合などである。そのようなアプリに従ってスマートフォン１１から周辺デバイス１２に発光コマンドが出力されると、周辺デバイス１２はその発光コマンドに従い、発光部１２０９を動作させ発光のＯＮ／ＯＦＦを行う。なお、発光コマンドには、単に発光のＯＮ／ＯＦＦを指示するものに限られず、周辺デバイス１２が備える発光部１２０９の機能に応じて、例えば発光色、発光パターン（点滅など）を示す場合もある。
【００７６】
また、モーター１２１０を備える周辺デバイス１２に対応するアプリに従って、スマートフォン１１は周辺デバイス１２に対しモーターの運転のＯＮ／ＯＦＦおよび回転の速さを指示する運転コマンドを出力する場合がある。
【００７７】
例えば、図１に示した周辺デバイス１２において、周辺デバイス１２の本体に内蔵されたモーター１２１０の回転軸が本体から外に出ており、その回転軸に猫のシッポの模型が取り付けられている。
【００７８】
この周辺デバイス１２に対応するアプリは、例えばスマートフォン１１の表示部１１１１に画像として表示され、発音部１１１３により鳴き声などを擬似的に発する仮想的な猫を育てるゲームアプリである。このゲームアプリに従い、スマートフォン１１は仮想的な猫のアニメーションを表示部１１１１に表示させるとともに、そのアニメーションの動きに連動してシッポの模型が動くように周辺デバイス１２に対しモーターの運転コマンドを出力する。その結果、スマートフォン１１に表示される猫の画像と周辺デバイス１２が備える模型のシッポが一体として仮想的な猫を構成することになる。
【００７９】
また、発音部１２１１を備える周辺デバイス１２に対応するアプリに従って、スマートフォン１１は周辺デバイス１２に対し発音のＯＮ／ＯＦＦや発音時の音量を指示する発音コマンドを出力する場合がある。発音コマンドには、周辺デバイス１２の記憶部１２０１に記憶されている音波形データに従った音の再生を指示するものと、発音コマンドに伴ってスマートフォン１１から周辺デバイス１２に対し出力される音波形データに従った音の再生を指示するものとがある。
【００８０】
例えば、音波形データが記憶されている周辺デバイス１２に対応するアプリが音楽プレーヤーアプリである場合、スマートフォン１１は音楽プレーヤーアプリに従い表示部１１１１にユーザインタフェースを表示し、操作部１１１２に対するユーザの再生指示操作に応じて、周辺デバイス１２に対し発音コマンドを出力する。周辺デバイス１２はその発音コマンドに従い、記憶部１２０１に記憶されている音波形データを読み出し、発音部１２１１からその音波形データに従った音を発音する。
【００８１】
また、計測部１２１２を備える周辺デバイス１２に対応するアプリに従って、スマートフォン１１は周辺デバイス１２に対し計測の実行コマンドを出力する場合がある。計測部１２１２を備える周辺デバイス１２は、スマートフォン１１から受け取った実行コマンドに従い、計測部１２１２による計測を実行し、計測結果を示す計測データをスマートフォン１１に対し出力する。
【００８２】
また、計測の実行コマンドには、例えば定期的に計測の実行を継続することを指示するものもある。周辺デバイス１２は、そのような実行コマンドを受け取った場合、その実行コマンドに従い、例えば定期的に計測部１２１２による計測を行い、計測結果を示す計測データを記憶部１２０１に記憶する。その後、スマートフォン１１が計測データの出力コマンドを周辺デバイス１２に対し出力すると、周辺デバイス１２はその出力コマンドに従い、記憶されている計測データをスマートフォン１１に対し出力する。
【００８３】
計測部１２１２を備える周辺デバイス１２に対応するアプリも様々なものが考えられる。例えば、計測部１２１２がガイガーセンサである場合、それに対応するアプリとしては放射線の計測量をグラフで表示するアプリなどが考えられる。
【００８４】
以下に、上述した周辺デバイス連動システム１を利用した実施例を示す。
【００８５】
（第１実施例）
図４は、第１実施例にかかる周辺デバイス１２およびそれに対応するアプリに従って動作しているスマートフォン１１のイメージを示した図である。第１実施例においては、同種の周辺デバイス１２の各々に異なるカラーパターンを示すパラメータデータが記憶されている。そして、周辺デバイス１２がスマートフォン１１に接続されると、周辺デバイス１２からデバイスＩＤと共にパラメータデータがスマートフォン１１に対し出力される。
【００８６】
スマートフォン１１は周辺デバイス１２から受け取ったデバイスＩＤに対応するアプリを起動し、周辺デバイス１２から受け取ったパラメータデータに従い、図４に示されるように、カラーパターンを表示部１１１１に表示する。
【００８７】
周辺デバイス１２に対応するアプリは、周辺デバイス１２がスマートフォン１１に接続されている時間に応じて、特定の色がその面積を広げ、ディスプレイを占有していくように表示部１１１１に出力する画像データを変化させていく処理を行う。
【００８８】
また、ユーザにより周辺デバイス１２が接続された状態のスマートフォン１１がシェイクされると、スマートフォン１１に内蔵される加速度センサにより計測された加速度に従い、その時点でディスプレイに表示されている複数の色が互いに混ざり合っていくように表示部１１１１に出力する画像データを変化させていく処理を行う。
【００８９】
第１実施例によれば、ユーザは周辺デバイス１２をスマートフォン１１に接続しシェイクすることで、ディスプレイに表示される色の変化を楽しむことができる。
【００９０】
（第２実施例）
図５は、第２実施例にかかる周辺デバイス１２およびそれに対応するアプリに従って動作しているスマートフォン１１のイメージを示した図である。第２実施例においては、同種の周辺デバイス１２の各々に異なるサウンドを識別するサウンドＩＤが記憶されている。また、第２実施例において用いられる周辺デバイス１２は、発光部１２０９と発音部１２１１を備えている。
【００９１】
第２実施例にかかるアプリは、スマートフォン１１において、多数の音波形データをサウンドＩＤに対応付けて管理している。なお、これらの音波形データには、音波形データに従った音の再生における然るべきタイミングで発光を指示する発光コマンドが伴っている。周辺デバイス１２がスマートフォン１１に接続されると、周辺デバイス１２からデバイスＩＤと共にサウンドＩＤがスマートフォン１１に対し出力される。
【００９２】
スマートフォン１１は周辺デバイス１２から受け取ったデバイスＩＤに対応するアプリを起動し、周辺デバイス１２から受け取ったサウンドＩＤにより識別される音波形データを読み出す。その後、発音コマンドに続き、音波形データを順次、周辺デバイス１２に対し出力する。
【００９３】
周辺デバイス１２は、スマートフォン１１から発音コマンドに続き順次出力されてくる音波形データに従い発音を行う。また、周辺デバイス１２は、スマートフォン１１から音波形データに伴って出力されてくる発光コマンドを受け取ると、その発光コマンドに従い発光を行う。
【００９４】
さらに、第２実施例において、スマートフォン１１は周辺デバイス１２に対し出力する音波形データにより示される音に応じて様々に変化するアニメーションがディスプレイに表示されるように、表示部１１１１に出力する画像データを変化させていく処理（いわゆるビジュアライザーの処理）を行う。
【００９５】
第２実施例によれば、ユーザは周辺デバイス１２をスマートフォン１１に接続することで、音楽などのサウンドを、ディスプレイに表示されるアニメーションや周辺デバイス１２に内蔵されるＬＥＤ等の発光の変化とともに楽しむことができる。
【００９６】
（第３実施例）
図６は、第３実施例にかかる周辺デバイス１２およびそれに対応するアプリに従って動作しているスマートフォン１１のイメージを示した図である。第３実施例においては、剣の形を模した形状の周辺デバイス１２が用いられる。
【００９７】
第３実施例においてスマートフォン１１に周辺デバイス１２が接続されると、周辺デバイス１２からデバイスＩＤがスマートフォン１１に対し出力される。
【００９８】
スマートフォン１１は周辺デバイス１２から受け取ったデバイスＩＤに対応するアプリが起動されていなければ、それを起動する。第３実施例においてスマートフォン１１において実行されるアプリは、「黒ひげ危機一髪（登録商標、株式会社タカラトミー）」として広く知られるゲームのアプリである。
【００９９】
周辺デバイス１２が一度、スマートフォン１１に接続され、アプリが起動した後、ユーザが周辺デバイス１２のピンジャックをスマートフォン１１から抜いたり刺したりする度に、スマートフォン１１のディスプレイに表示されている樽に剣が差し込まれていく。
【０１００】
周辺デバイス１２のスマートフォン１１に対する差し込みの回数が、アプリに従いゲーム毎にランダムに設定された回数に達すると、ディスプレイに表示されている海賊が樽から飛び出し、ゲームオーバーとなる。
【０１０１】
なお、スマートフォン１１はアプリに従い、例えば周辺デバイス１２がスマートフォン１１に差し込まれたタイミングや海賊が飛び出すタイミングで効果音を再生する。
【０１０２】
第３実施例によれば、ユーザは周辺デバイス１２をスマートフォン１１に抜き差しすることで、「黒ひげ危機一髪（登録商標、株式会社タカラトミー）」として広く知られるゲームを、スマートフォン１１を用いながら、よりオリジナルのゲームに近い感覚で楽しむことができる。
【０１０３】
［変形例］
上述した実施形態は本発明の技術的思想の範囲内で様々に変形することができる。以下にそれらの変形の例を示す。
【０１０４】
上述した実施形態においては、周辺デバイス連動システム１においてユーザが利用する端末装置としてスマートフォンが用いられるものとしたが、ヘッドセット用端子を備え、アプリの実行が可能な端末装置であればスマートフォンに限られず、例えば携帯電話、ＰＤＡ、ＰＣ、ゲーム端末装置、テレビ装置、音楽プレーヤーなど、他の種類の端末装置がスマートフォン１１に代えて用いられてもよい。
【０１０５】
また、上述した実施形態においては、周辺デバイス１２はスマートフォン１１が備えるヘッドセット用端子に接続されるものとしたが、スマートフォン１１がヘッドセット用端子に加え、もしくはそれに代えて、音信号とは異なるアナログ信号の入出力用の端子を備える場合、その入出力用の端子に周辺デバイス１２が接続される構成が採用されてもよい。
【０１０６】
また、上述した実施形態において説明した動作は一具体例であって、本発明を限定するものではない。例えば、上述した実施形態においては、スマートフォン１１に周辺デバイス１２が接続された際、周辺デバイス１２からデバイスＩＤ等がスマートフォン１１に出力され、スマートフォン１１はそれを待機する構成が採用されているが、例えば、接続の検出に伴い、スマートフォン１１が周辺デバイス１２に対しデバイスＩＤ等の出力を要求する出力コマンドを出力し、周辺デバイス１２がその出力コマンドに応じてデバイスＩＤをスマートフォン１１に対し出力する構成が採用されてもよい。
【０１０７】
また、上述した実施形態において説明した実施例もまた、本発明にかかる実施例の一例であって、本発明を限定するものではない。上述した実施例の他、例えば、周辺デバイス１２がスマートフォン１１に接続されていない間、スマートフォン１１の画面をロックすることで、周辺デバイス１２をスマートフォン１１の使用における鍵として用いる実施例など、他の様々な本発明の実施例として考えられる。
【産業上の利用可能性】
【０１０８】
本発明にかかる端末装置、プログラム、周辺デバイスおよびシステムは、ユーザーフレンドリーな端末装置の利用を可能とするため、広く消費者に利用される可能性があり、広く製造業もしくはサービス業において利用可能である。
【符号の説明】
【０１０９】
１…周辺デバイス連動システム、１１…スマートフォン、１２…周辺デバイス、１３…サーバ装置、１９…インターネット、１１０１…信号入力部、１１０２…復調部、１１０３…記憶部、１１０４…データ処理部、１１０５…変調部、１１０６…信号出力部、１１０７…電源、１１０８…電力出力部、１１０９…送信部、１１１０…受信部、１１１１…表示部、１１１２…操作部、１１１３…発音部、１１１４…制御部、１２０１…記憶部、１２０２…変調部、１２０３…信号出力部、１２０４…信号入力部、１２０５…復調部、１２０６…制御部、１２０７…電力入力部、１２０８…蓄電部、１２０９…発光部、１２１０…モーター、１２１１…発音部、１２１２…計測部
【図１】
2013115526.tif 000003
【図２】
2013115526.tif 000004
【図３】
2013115526.tif 000005
【図４】
2013115526.tif 000006
【図５】
2013115526.tif 000007
【図６】
2013115526.tif 000008